(57)【特許請求の範囲】
【請求項１】
第１及び第２の放物面を持つ第１の誘電体と、上記第１の放物面上に互いに間隔をおいて平行に設けられ電波を反射する複数の第１の直線導体と、上記第２の放物面上に設けられ上記第１の直線導体間を通り上記第１の誘電体を透過した電波を反射する裏面導体とを有している放物面反射鏡、
上記第１の放物面に対向する対向面を持つ平板状の第２の誘電体と、上記対向面上に互いに間隔をおいて平行に設けられ上記放物面反射鏡へ向けて電波を反射する複数の第２の直線導体とを有し、上記放物面反射鏡で反射された電波を透過する平面反射鏡、
この平面反射鏡へ向けて電波を放射する一次放射器、及び
上記放物面反射鏡を動かし、反射角度を変える駆動手段
を備えていることを特徴とするレーダ用アンテナ。
【請求項２】
平面反射鏡は、放物面反射鏡の周囲を囲むケースの一部として上記ケースと一体に構成されていることを特徴とする請求項１記載のレーダ用アンテナ。
【請求項３】
第１及び第２の放物面を持つ第１の誘電体と、上記第１の放物面上に互いに間隔をおいて平行に設けられ電波を反射する複数の第１の直線導体と、上記第２の放物面上に設けられ上記第１の直線導体間を通り上記第１の誘電体を透過した電波を反射する裏面導体とを有している放物面反射鏡、
上記第１の放物面に対向する対向面を持つ平板状の第２の誘電体と、上記対向面上に互いに間隔をおいて平行に設けられ上記放物面反射鏡へ向けて電波を反射する複数の第２の直線導体とを有し、上記放物面反射鏡で反射された電波を透過する平面反射鏡、
この平面反射鏡へ向けて電波を放射する一次放射器、及び
上記平面反射鏡を動かし、反射角度を変える駆動手段
を備えていることを特徴とするレーダ用アンテナ。
【請求項４】
平面反射鏡は、放物面反射鏡から上記放物面反射鏡の焦点までの距離の半分の位置又はその近傍に配置され、一次放射器は、上記平面反射鏡から上記平面反射鏡の焦点の距離の位置又はその近傍に配置されていることを特徴とする請求項１ないし請求項３のいずれかに記載のレーダ用アンテナ。
【発明の詳細な説明】
【０００１】
【発明の属する技術分野】
この発明は、放物面反射鏡と平面反射鏡とを有するレーダ用アンテナに関するものである。
【０００２】
【従来の技術】
図９は従来のレーダ用アンテナの一例を示す構成図である。図において、ケース１内には、電波を反射する放物面反射鏡２が配置されている。放物面反射鏡２は、アクチュエータ３によって駆動され、これにより電波の方向が変えられる。また、放物面反射鏡２には、放物面反射鏡２へ向けて電波を放射する一次放射器４が支持されている。一次放射器４は、放物面反射鏡２から放物面反射鏡２の焦点距離の位置に配置されている。
【０００３】
また、図１０は例えば文献「ＩＮＴＲＯＤＵＣＴＩＯＮ  ＴＯ  ＲＡＤＡＲ  ＳＹＳＴＥＭＳ  ｓｅｃｏｎｄ  ｅｄｉｔｉｏｎ」（Ｍｅｒｒｉｌ  Ｉ．Ｓｋｏｌｎｉｋ著）第２４３頁に示された従来のレーダ用アンテナを示す構成図である。図において、ケース５の一部には、放物面反射鏡６が一体に形成されている。ケース５内には、放物面反射鏡６に対向する平面反射鏡７が配置されている。平面反射鏡７は、アクチュエータ８によって駆動され、これにより電波の方向が変えられる。平面反射鏡７の中央部には、放物面反射鏡６へ向けて電波を放射する一次放射器９が設けられている。
【０００４】
【発明が解決しようとする課題】
しかし、図９に示されたレーダ用アンテナでは、電波の方向を変えるために、放物面反射鏡２及び一次放射器４の組立体の全体を駆動する必要があるため、機構系が大形になってしまう。
【０００５】
一方、図１０に示されたレーダ用アンテナでは、偏向ねじり反射手段を持った平面反射鏡のみを駆動する構造であるため、機構系の構造は簡単になるものの、放物面反射鏡６と平面反射鏡７との間に放物面反射鏡６の焦点距離を確保する必要があるため、アンテナの厚さ寸法が大きくなってしまう。また、アンテナ前面が放物面形状になるため、実際の搭載時にはデザインを考慮したレードーム（図示せず）を別に設ける必要がある。さらに、その場合、性能を維持するために放物面反射鏡６とレードームとの間にある程度の間隔が必要であるため、厚さ寸法がさらに大きくなるとともに、レードームによる損失が発生してしまう。
【０００６】
また、特開平３−２７７００２号公報には、２枚の放物面反射鏡を組み合わせたレーダ用アンテナが示されているが、このものの場合にも、搭載時にレードームが必要であり、レードームによる損失が発生してしまう。
【０００７】
この発明は、上記のような問題点を解決することを課題としてなされたものであり、厚さ寸法を小さくしつつ、損失の増大を防止することができ、かつ機構系の構造を簡単にすることができるレーダ用アンテナを得ることを目的とする。
【０００８】
【課題を解決するための手段】
請求項１の発明に係るレーダ用アンテナは、第１及び第２の放物面を持つ第１の誘電体と、第１の放物面上に互いに間隔をおいて平行に設けられ電波を反射する複数の第１の直線導体と、第２の放物面上に設けられ第１の直線導体間を通り第１の誘電体を透過した電波を反射する裏面導体とを有している放物面反射鏡、第１の放物面に対向する対向面を持つ平板状の第２の誘電体と、対向面上に互いに間隔をおいて平行に設けられ放物面反射鏡へ向けて電波を反射する複数の第２の直線導体とを有し、放物面反射鏡で反射された電波を透過する平面反射鏡、この平面反射鏡へ向けて電波を放射する一次放射器、及び放物面反射鏡を動かし、反射角度を変える駆動手段を備えたものである。
【０００９】
請求項２の発明に係るレーダ用アンテナは、平面反射鏡を、放物面反射鏡の周囲を囲むケースの一部としてケースと一体に構成したものである。
【００１０】
請求項３の発明に係るレーダ用アンテナは、第１及び第２の放物面を持つ第１の誘電体と、第１の放物面上に互いに間隔をおいて平行に設けられ電波を反射する複数の第１の直線導体と、第２の放物面上に設けられ第１の直線導体間を通り第１の誘電体を透過した電波を反射する裏面導体とを有している放物面反射鏡、第１の放物面に対向する対向面を持つ平板状の第２の誘電体と、対向面上に互いに間隔をおいて平行に設けられ放物面反射鏡へ向けて電波を反射する複数の第２の直線導体とを有し、放物面反射鏡で反射された電波を透過する平面反射鏡、この平面反射鏡へ向けて電波を放射する一次放射器、及び平面反射鏡を動かし、反射角度を変える駆動手段を備えたものである。
【００１１】
請求項４の発明に係るレーダ用アンテナは、平面反射鏡を、放物面反射鏡から放物面反射鏡の焦点までの距離の半分の位置又はその近傍に配置し、一次放射器を、平面反射鏡から平面反射鏡の焦点の距離の位置又はその近傍に配置したものである。
【００１２】
【発明の実施の形態】
以下、この発明の実施の形態を図について説明する。
実施の形態１．
図１はこの発明の実施の形態１によるレーダ用アンテナを示す構成図である。図において、ケース１１の前面には、平面反射鏡１２がケース１１の一部として一体に形成されている。ケース１１内には、平面反射鏡１２に対向する放物面反射鏡１３が配置されている。放物面反射鏡１３は、駆動手段であるアクチュエータ１４により駆動され、これにより電波の反射角度が変えられる。放物面反射鏡１３の中央部には、平面反射鏡１２へ向けて電波を放射する一次放射器１５が配置されている。
【００１３】
平面反射鏡１２は、放物面反射鏡１３から放物面反射鏡１３の焦点Ｆ１までの距離の半分の位置又はその近傍に配置されている。また、一次放射器１５は、平面反射鏡１２から平面反射鏡１２の焦点Ｆ２の距離の位置又はその近傍に配置されている。
【００１４】
図２は図１の放物面反射鏡１３を示す正面図、図３は図２の放物面反射鏡１３の一部の断面図である。放物面反射鏡１３は、偏向ねじり反射を実現する反射鏡である。このため、放物面反射鏡１３は、第１及び第２の放物面２１ａ，２１ｂを持つ第１の誘電体２１と、第１の放物面２１ａ上に互いに間隔をおいて平行に設けられ電波を反射する複数の第１の直線導体２２と、第２の放物面２１ｂの全面に設けられ第１の直線導体２２間を通り第１の誘電体２１を透過した電波を反射する裏面導体２３とを有している。
【００１５】
図４は図１の平面反射鏡１２を示す背面図、図５は図４の平面反射鏡１２の一部の断面図である。平面反射鏡１２は、電波の偏向方向による選択性反射を実現するための反射鏡である。このため、平面反射鏡１２は、第１の放物面２１ａに対向する対向面２４ａを持つ平板状の第２の誘電体２４と、対向面２４ａ上に互いに間隔をおいて平行に設けられ放物面反射鏡１３へ向けて電波を反射する複数の第２の直線導体２５とを有している。
【００１６】
第１及び第２の誘電体２１，２４は、例えばプラスチックにより構成されている。第１及び第２の直線導体２２，２５は、例えばめっき及びエッチングを組み合わせた工程により形成される。また、裏面導体２３は、例えばめっきにより形成される。
【００１７】
次に、動作について説明する。放射電波の偏波方向を水平とする場合、一次放射器１５から垂直方向の偏波で放射された電波は、第２の直線導体２５で反射され、第２の直線導体２５に対して４５度に配置された第１の直線導体２２、即ち偏向ねじり反射手段により、偏波方向が９０度変えられて水平偏波となり、かつ平行なビームとなり、第２の直線導体２５間を通過して空中に放射される。ビームの方向を変えるには、偏向ねじり反射手段を持つ放物面反射鏡１３をアクチュエータ１４により駆動すればよい。
【００１８】
図６は図１のレーダ用アンテナのビームの方向を変える方法の一例を示す説明図、図７は図１のレーダ用アンテナのビームの方向を変える方法の他の例を示す説明図である。ビームの方向を変える方法としては、図６に示すように、一次放射器１５の付近に回転中心を設け、この回転中心を中心として放物面反射鏡１３を角度を変化させる方法と、図７に示すように、放物面反射鏡１３を平行移動させる方法とがある。
【００１９】
このようなレーダ用アンテナでは、偏向ねじり反射手段を持った放物面反射鏡１３と、偏波成分方向により反射又は通過する平面反射鏡１２とを組み合わせ、また外側に平面反射鏡１２を配置したので、全体の厚さ寸法を小さくすることができる。また、レードームを別に設ける必要がなく、レードームによる損失を防止することができる。さらに、ビームの方向を変える際に一次放射器１５は固定されたままでよいため、機構系の構造を簡単にすることができる。
【００２０】
さらにまた、平面反射鏡１２が、放物面反射鏡１３から放物面反射鏡１３の焦点Ｆ１までの距離の半分の位置又はその近傍に配置され、一次放射器１５が、平面反射鏡１２から平面反射鏡１２の焦点Ｆ２の距離の位置又はその近傍に配置されているため、全体を薄形化しつつ効率を向上させることができる。
【００２１】
また、平面反射鏡１２を、ケース１１の一部としてケース１１と一体に構成したので、全体をさらに薄形化することができる。
【００２２】
実施の形態２．
図８はこの発明の実施の形態２によるレーダ用アンテナを示す構成図である。実施の形態１では、放物面反射鏡１３を駆動したが、実施の形態２では、平面反射鏡２１が駆動される。即ち、平面反射鏡２１は、アクチュエータ（駆動手段）２２により回転中心を中心として回動される。これによっても、ビームの方向を変えることができる。
【００２３】
なお、より広い角度で性能を確保するため、平面反射鏡と放物面反射鏡とをともに駆動してもよい。また、複数個の一次放射器１５を並べ、使用する一次放射器１５を切り換えることによりビーム方向を変えることもできる。
【００２４】
【発明の効果】
以上説明したように、請求項１の発明のレーダ用アンテナは、偏向ねじり反射手段を持った放物面反射鏡と、偏波成分方向により反射又は通過する平面反射鏡とを組み合わせ、また外側に平面反射鏡を配置したので、全体の厚さ寸法を小さくすることができる。また、レードームを別に設ける必要がなく、レードームによる損失を防止することができる。さらに、ビームの方向を変える際に一次放射器は固定されたままでよいため、機構系の構造を簡単にすることができる。
【００２５】
請求項２の発明のレーダ用アンテナは、平面反射鏡を、ケースの一部としてケースと一体に構成したので、全体をさらに薄形化することができる。
【００２６】
請求項３の発明のレーダ用アンテナは、偏向ねじり反射手段を持った放物面反射鏡と、偏波成分方向により反射又は通過する平面反射鏡とを組み合わせ、また外側に平面反射鏡を配置したので、全体の厚さ寸法を小さくすることができる。また、レードームを別に設ける必要がなく、レードームによる損失を防止することができる。さらに、ビームの方向を変える際に一次放射器は固定されたままでよいため、機構系の構造を簡単にすることができる。
【００２７】
請求項４の発明のレーダ用アンテナは、平面反射鏡が、放物面反射鏡から放物面反射鏡の焦点までの距離の半分の位置又はその近傍に配置され、一次放射器が、平面反射鏡から平面反射鏡の焦点の距離の位置又はその近傍に配置されているため、全体を薄形化しつつ効率を向上させることができる。
【図面の簡単な説明】
【図１】  この発明の実施の形態１によるレーダ用アンテナを示す構成図である。
【図２】  図１の放物面反射鏡を示す正面図である。
【図３】  図２の放物面反射鏡の一部の断面図である。
【図４】  図１の平面反射鏡を示す背面図である。
【図５】  図４の平面反射鏡の一部の断面図である。
【図６】  図１のレーダ用アンテナのビームの方向を変える方法の一例を示す説明図である。
【図７】  図１のレーダ用アンテナのビームの方向を変える方法の他の例を示す説明図である。
【図８】  この発明の実施の形態２によるレーダ用アンテナを示す構成図である。
【図９】  従来のレーダ用アンテナの一例を示す構成図である。
【図１０】  従来のレーダ用アンテナの他の例を示す構成図である。
【符号の説明】
１１  ケース、１２，２１  平面反射鏡、１３  放物面反射鏡、１４，２２  アクチュエータ（駆動手段）、１５  一次放射器、２１  第１の誘電体、２１ａ第１の放物面、２１ｂ  第２の放物面、２２  第１の直線導体、２３  裏面導体、２４  第２の誘電体、２４ａ  対向面、２５  第２の直線導体。
【図１】
0003801831.tif 000002
【図２】
0003801831.tif 000003
【図３】
0003801831.tif 000004
【図４】
0003801831.tif 000005
【図５】
0003801831.tif 000006
【図６】
0003801831.tif 000007
【図７】
0003801831.tif 000008
【図８】
0003801831.tif 000009
【図９】
0003801831.tif 000010
【図１０】
0003801831.tif 000011